(57)【要約】【課題】  携帯電話機を利用したビデオ電話で、一般に普及しているＴＶ受像機に相手映像とＴＶ映像とを同時に表示する。【解決手段】  ビデオ電話機能を有する携帯電話機６は、無線で送信される相手先の映像信号を、アンテナ１６にて受信し、無線処理部１５にてストリームデータに変換し、ＡＶコーデック部１４にて復号化する一方、ＴＶチューナ７から出力されるＴＶ映像信号をＴＶ映像信号入力部２０にて受信し、映像Ｉ／Ｆ部２１にて映像データに変換する。次に、ＡＶコーデック部１４にて復号化した相手先の映像データと、映像Ｉ／Ｆ部２１にて変換した映像データとを映像合成部２２にて合成し、合成した映像データを映像Ｉ／Ｆ部２３にて映像信号に変換して、映像信号出力部２４からＴＶ受像機８に出力する。【選択図】  図１
2005151446.tif 000002
【特許請求の範囲】
【請求項１】
ビデオ電話機能を有する携帯端末であって、自端末の映像信号および音声信号を無線で送信するとともに、相手端末の映像信号および音声信号を無線で受信する携帯端末において、
外部からの映像信号が入力される映像外部入力手段と、
上記外部からの映像信号と、上記自端末および／または相手端末の映像信号との合成を行う映像合成手段と、
該映像合成手段が合成した合成映像信号を外部に出力する映像外部出力手段とを備えることを特徴とする携帯端末。
【請求項２】
上記映像外部入力手段は、上記外部からの映像信号を自端末での処理に適した形式に変換し、かつ、
上記映像外部出力手段は、上記合成映像信号を出力する出力先の表示装置に適した形式に、上記合成映像信号を変換することを特徴とする請求項１に記載の携帯端末。
【請求項３】
外部からの音声信号が入力される音声外部入力手段と、
上記外部からの音声信号と、上記自端末および／または相手端末の音声信号とを合成する音声合成手段と、
該音声合成手段が合成した合成音声信号を外部に出力する音声外部出力手段とをさらに備えることを特徴とする請求項１に記載の携帯端末。
【請求項４】
上記音声外部入力手段は、上記外部からの音声信号を自端末での処理に適した形式に変換し、かつ、
上記音声外部出力手段は、上記合成音声信号を出力する出力先の音声出力装置に適した形式に上記合成音声信号を変換することを特徴とする請求項３に記載の携帯端末。
【請求項５】
上記音声合成手段は、上記自端末および／または相手端末の音声信号と上記外部からの音声信号との音量レベルを調整してから合成することを特徴とする請求項３に記載の携帯端末。
【請求項６】
上記音声合成手段は、上記外部からの音声信号を上記自端末および／または相手端末の音声信号よりも音量レベルを低下させるよう調整してから合成することを特徴とする請求項５に記載の携帯端末。
【請求項７】
撮影を行って上記自端末の映像信号を作成する映像入力手段と、
映像信号に基づいて映像を表示する映像表示手段と、
上記映像入力手段が作成した上記自端末の映像信号と、上記相手端末の映像信号と、上記外部からの映像信号と、上記合成映像信号との中から、上記映像外部出力手段が外部に出力する映像信号と、上記映像表示手段が表示するための映像信号とをそれぞれ選択する映像選択手段とをさらに備えることを特徴とする請求項１に記載の携帯端末。
【請求項８】
上記映像合成手段は、上記外部からの映像信号と、上記相手端末の映像信号との合成を行い、
上記映像選択手段は、上記映像外部出力手段が外部に出力する映像信号として、上記映像合成手段が合成した合成映像信号を選択し、上記映像表示手段が表示するための映像信号として、上記自端末の映像信号を選択することを特徴とする請求項７に記載の携帯端末。
【請求項９】
上記映像合成手段が合成を行うか否かを制御する映像合成制御手段をさらに備えており、
ビデオ電話を開始するときに、上記映像合成制御手段は、上記映像合成手段が合成を行うように制御し、上記映像選択手段は、上記映像外部出力手段が外部に出力する映像信号として上記合成映像信号を選択することを特徴とする請求項７に記載の携帯端末。
【請求項１０】
ビデオ電話を終了するときに、上記映像合成制御手段は、上記映像合成手段が合成を中止するように制御し、上記映像選択手段は、上記映像外部出力手段が外部に出力する映像信号として上記外部からの映像信号を選択することを特徴とする請求項９に記載の携帯端末。
【請求項１１】
上記映像外部出力手段が映像信号を出力する出力先の表示装置に対して、赤外線で信号を送信する赤外線送信手段と、
上記出力先の表示装置を制御する制御信号を上記赤外線送信手段が送信するように制御する赤外線送信制御手段とをさらに備えることを特徴とする請求項１に記載の携帯端末。
【請求項１２】
上記赤外線送信制御手段は、ビデオ電話を開始するときに、上記出力先の表示装置の電源をオンにする制御信号を上記赤外線送信手段が送信するように制御することを特徴とする請求項１１に記載の携帯端末。
【請求項１３】
上記赤外線送信制御手段は、ビデオ電話を終了するときに、上記出力先の表示装置の電源をオフにする制御信号を上記赤外線送信手段が送信するように制御することを特徴とする請求項１１に記載の携帯端末。
【請求項１４】
上記赤外線送信制御手段は、ビデオ電話を開始するときに、上記出力先の表示装置の映像入力を上記映像出力手段からの映像入力に切り替える制御信号を上記赤外線送信手段が送信するように制御することを特徴とする請求項１１に記載の携帯端末。
【請求項１５】
上記赤外線送信制御手段は、ビデオ電話を終了するときに、上記出力先の表示装置の映像入力を上記映像出力手段からの映像入力から元の映像入力に切り替える制御信号を上記赤外線送信手段が送信するように制御することを特徴とする請求項１１に記載の携帯端末。
【請求項１６】
上記赤外線送信制御手段による制御は、ビデオ電話を開始または終了するとき、自動的に行うか、或いは、その旨を利用者に報知して、利用者からの指示に基づいて行うかを設定する設定手段を備えることを特徴とする請求項１２ないし１５の何れか１項に記載の携帯端末。
【請求項１７】
ビデオ電話機能を有する携帯端末を収容するクレードルであって、
上記携帯端末は、自端末の映像信号および音声信号を無線で送信するとともに、相手端末の映像信号および音声信号を無線で受信するものであり、
上記携帯端末と通信を行うための通信手段と、
外部からの映像信号が入力される映像外部入力手段と、
上記携帯端末から上記通信手段を介して受信した上記自端末および／または相手端末の映像信号と、上記映像外部入力手段に入力される上記外部からの映像信号との合成を行う映像合成手段と、
該映像合成手段が合成した合成映像信号を外部に出力する映像外部出力手段とを備えることを特徴とするクレードル。
【請求項１８】
外部からの音声信号が入力される音声外部入力手段と、
上記携帯端末から上記通信手段を介して受信した上記自端末および／または相手端末の音声信号と、上記音声外部入力手段に入力される上記外部からの音声信号との合成を行う音声合成手段と、
該音声合成手段が合成した合成音声信号を外部に出力する音声外部出力手段とをさらに備えることを特徴とする請求項１７に記載のクレードル。
【請求項１９】
上記音声合成手段は、上記自端末および／または相手端末の音声信号と上記外部からの音声信号との音量レベルを調整してから合成することを特徴とする請求項１８に記載のクレードル。
【請求項２０】
上記音声合成手段は、上記外部からの音声信号を上記自端末および／または相手端末の音声信号よりも音量レベルを低下させるよう調整してから合成することを特徴とする請求項１９に記載のクレードル。
【請求項２１】
上記自端末および／または相手端末の映像信号と、上記外部からの映像信号と、上記合成映像信号との中から上記映像外部出力手段が外部に出力する映像信号を、上記携帯端末から上記通信手段を介して受信する指示信号に基づいて選択する映像選択手段をさらに備えることを特徴とする請求項１７に記載のクレードル。
【請求項２２】
上記映像外部出力手段が映像信号を出力する出力先の表示装置に対して、赤外線で信号を送信する赤外線送信手段と、
上記携帯端末から通信手段を介して受信する指示信号に基づいて、上記出力先の表示装置を制御する制御信号を上記赤外線送信手段が送信するように制御する赤外線送信制御手段とをさらに備えることを特徴とする請求項１７に記載のクレードル。
【請求項２３】
ビデオ電話機能を有する携帯端末であって、自端末の映像信号および音声信号を無線で送信するとともに、相手端末の映像信号および音声信号を無線で受信する携帯端末を制御する制御方法であって、
外部から映像信号が入力され、
入力された外部からの映像信号と、上記自端末および／または相手端末の映像信号とを合成し、
合成した合成映像信号を外部に出力することを特徴とする携帯端末の制御方法。
【請求項２４】
ビデオ電話機能を有する携帯端末を収容するクレードルを制御する制御方法であって、
上記携帯端末は、自端末の映像信号および音声信号を無線で送信するとともに、相手端末の映像信号および音声信号を無線で受信するものであり、
上記クレードルは、上記携帯端末と通信を行うための通信手段を備えており、
外部から映像信号が入力され、
上記携帯端末から上記通信手段を介して上記自端末および／または相手端末の映像信号を受信し、
入力された外部からの映像信号と、受信した上記自端末および／または相手端末の映像信号とを合成し、
合成した合成映像信号を外部に出力することを特徴とするクレードルの制御方法。
【請求項２５】
請求項７ないし１０の何れか１項に記載の携帯端末を動作させるための制御プログラムであって、コンピュータを上記映像選択手段として機能させるための制御プログラム。
【請求項２６】
請求項１１ないし１６の何れか１項に記載の携帯端末を動作させるための制御プログラムであって、コンピュータを上記赤外線送信制御手段として機能させるための制御プログラム。
【請求項２７】
請求項２１に記載のクレードルを動作させるための制御プログラムであって、コンピュータを上記映像選択手段として機能させるための制御プログラム。
【請求項２８】
請求項２２に記載のクレードルを動作させるための制御プログラムであって、コンピュータを上記赤外線送信制御手段として機能させるための制御プログラム。
【請求項２９】
請求項２５ないし２８の何れか１項に記載の制御プログラムが記録されたコンピュータ読取り可能な記録媒体。
【発明の詳細な説明】
【技術分野】
【０００１】
本発明は、携帯電話機に代表される携帯端末に関するものであり、特に、ビデオ電話機能を有する携帯端末、該携帯端末を収容するクレードル、携帯端末の制御方法、クレードルの制御方法、制御プログラム、および該プログラムを記録した記録媒体に関するものである。
【背景技術】
【０００２】
近時、第３世代の携帯電話システムが普及しつつある。この第３世代の携帯電話システムの中には、例えばＮＴＴドコモグループが実施している第３世代の携帯電話システムであるＦＯＭＡ（登録商標）のように、ビデオ電話（テレビ電話）機能を有するものもある。
【０００３】
ビデオ電話は、音声と画像とを同時に送受するマルチメディア電話をいい、例えば下記の特許文献に記載されている。ビデオ電話は、音声だけでは相手に伝え難い情報を視覚により容易に伝えることができたり、相手の表情を見ながら通話することができたりするメリットがある。
【特許文献１】特開平５−２３６４７２号公報（１９９３年９月１０日公開）
【特許文献２】特開平６−２５３２９８号公報（１９９４年９月９日公開）
【特許文献３】特開平７−１８４１７４号公報（１９９５年７月２１日公開）
【発明の開示】
【発明が解決しようとする課題】
【０００４】
しかしながら、携帯電話機にてビデオ電話を行う場合、携帯電話機は、携帯性の観点から小型化が求められているため、携帯電話機の表示画面のサイズを大きくすることができず、相手機からの映像（以下、「相手映像」と称する。）や、自機で撮影した映像（以下、「自機映像」と称する。）を十分明瞭に表示できるとは言い難い。
【０００５】
そこで、映像信号をＴＶ（television）受像機などの外部の表示装置に送信して表示することが考えられる。これにより、携帯電話機に比べて表示画面のサイズが大きい表示装置に相手映像や自機映像を表示できるので、携帯電話機に比べて相手映像や自機映像を明瞭に表示することができる。
【０００６】
しかしながら、外部の表示装置に相手映像や自機映像を表示すると、ＴＶ放送の映像や、ビデオレコーダの再生映像を表示することができない。なお、以下では、ＴＶ放送の映像を「ＴＶ映像」と略称し、ＴＶ映像やビデオレコーダの再生映像などのような携帯電話機の外部で作成される映像を「外部の映像」と総称することにする。
【０００７】
この問題点に対し、上記の特許文献１〜３には、相手映像とＴＶ映像とを合成することにより同時に表示する表示装置が記載されている。しかしながら、上記の特許文献１〜３は、何れもビデオ電話機能付ＴＶ受像機に関するものであり、特殊なＴＶ受像機を購入する必要があるため、購入費用が嵩むことになる。
【０００８】
また、携帯電話機にＴＶ放送を受信する機能と、相手映像や自機映像とＴＶ映像とを合成する機能とを追加して、合成した映像を携帯電話機から外部の表示装置に出力することが考えられるが、携帯電話機の部品点数が増加することになり、携帯電話機の大型化および製品コスト上昇を招くことになる。
【０００９】
本発明は、上記の問題点に鑑みてなされたものであり、その目的は、一般に普及しているＴＶ受像機に、相手映像や自機映像と、ＴＶ映像などの外部の映像とを同時に表示できる携帯電話機およびクレードルを提供することにある。
【課題を解決するための手段】
【００１０】
上記課題を解決するために、本発明に係る携帯端末は、ビデオ電話機能を有する携帯端末であって、自端末の映像信号および音声信号を無線で送信するとともに、相手端末の映像信号および音声信号を無線で受信する携帯端末において、外部からの映像信号が入力される映像外部入力手段と、上記外部からの映像信号と、上記自端末および／または相手端末の映像信号との合成を行う映像合成手段と、該映像合成手段が合成した合成映像信号を外部に出力する映像外部出力手段とを備えることを特徴としている。
【００１１】
さらに、本発明に係る携帯端末は、上記の構成において、上記映像外部入力手段は、上記外部からの映像信号を自端末での処理に適した形式に変換し、かつ、上記映像外部出力手段は、上記合成映像信号を出力する出力先の表示装置に適した形式に、上記合成映像信号を変換することを特徴としている。
【００１２】
さらに、本発明に係る携帯端末は、上記の構成において、外部からの音声信号が入力される音声外部入力手段と、上記外部からの音声信号と、上記自端末および／または相手端末の音声信号とを合成する音声合成手段と、該音声合成手段が合成した合成音声信号を外部に出力する音声外部出力手段とをさらに備えることを特徴としている。
【００１３】
さらに、本発明に係る携帯端末は、上記の構成において、上記音声外部入力手段は、上記外部からの音声信号を自端末での処理に適した形式に変換し、かつ、上記音声外部出力手段は、上記合成音声信号を出力する出力先の音声出力装置に適した形式に上記合成音声信号を変換することを特徴としている。
【００１４】
さらに、本発明に係る携帯端末は、上記の構成において、上記音声合成手段は、上記自端末および／または相手端末の音声信号と上記外部からの音声信号との音量レベルを調整してから合成することを特徴としている。
【００１５】
さらに、本発明に係る携帯端末は、上記の構成において、上記音声合成手段は、上記外部からの音声信号を上記自端末および／または相手端末の音声信号よりも音量レベルを低下させるよう調整してから合成することを特徴としている。
【００１６】
さらに、本発明に係る携帯端末は、上記の構成において、撮影を行って上記自端末の映像信号を作成する映像入力手段と、映像信号に基づいて映像を表示する映像表示手段と、上記映像入力手段が作成した上記自端末の映像信号と、上記相手端末の映像信号と、上記外部からの映像信号と、上記合成映像信号との中から、上記映像外部出力手段が外部に出力する映像信号と、上記映像表示手段が表示するための映像信号とをそれぞれ選択する映像選択手段とをさらに備えることを特徴としている。
【００１７】
さらに、本発明に係る携帯端末は、上記の構成において、上記映像合成手段は、上記外部からの映像信号と、上記相手端末の映像信号との合成を行い、上記映像選択手段は、上記映像外部出力手段が外部に出力する映像信号として、上記映像合成手段が合成した合成映像信号を選択し、上記映像表示手段が表示するための映像信号として、上記自端末の映像信号を選択することを特徴としている。
【００１８】
さらに、本発明に係る携帯端末は、上記の構成において、上記映像合成手段が合成を行うか否かを制御する映像合成制御手段をさらに備えており、ビデオ電話を開始するときに、上記映像合成制御手段は、上記映像合成手段が合成を行うように制御し、上記映像選択手段は、上記映像外部出力手段が外部に出力する映像信号として上記合成映像信号を選択することを特徴としている。
【００１９】
さらに、本発明に係る携帯端末は、上記の構成において、ビデオ電話を終了するときに、上記映像合成制御手段は、上記映像合成手段が合成を中止するように制御し、上記映像選択手段は、上記映像外部出力手段が外部に出力する映像信号として上記外部からの映像信号を選択することを特徴としている。
【００２０】
さらに、本発明に係る携帯端末は、上記の構成において、上記映像外部出力手段が映像信号を出力する出力先の表示装置に対して、赤外線で信号を送信する赤外線送信手段と、上記出力先の表示装置を制御する制御信号を上記赤外線送信手段が送信するように制御する赤外線送信制御手段とをさらに備えることを特徴としている。
【００２１】
さらに、本発明に係る携帯端末は、上記の構成において、上記赤外線送信制御手段は、ビデオ電話を開始するときに、上記出力先の表示装置の電源をオンにする制御信号を上記赤外線送信手段が送信するように制御することを特徴としている。
【００２２】
さらに、本発明に係る携帯端末は、上記の構成において、上記赤外線送信制御手段は、ビデオ電話を終了するときに、上記出力先の表示装置の電源をオフにする制御信号を上記赤外線送信手段が送信するように制御することを特徴としている。
【００２３】
さらに、本発明に係る携帯端末は、上記の構成において、上記赤外線送信制御手段は、ビデオ電話を開始するときに、上記出力先の表示装置の映像入力を上記映像出力手段からの映像入力に切り替える制御信号を上記赤外線送信手段が送信するように制御することを特徴としている。
【００２４】
さらに、本発明に係る携帯端末は、上記の構成において、上記赤外線送信制御手段は、ビデオ電話を終了するときに、上記出力先の表示装置の映像入力を上記映像出力手段からの映像入力から元の映像入力に切り替える制御信号を上記赤外線送信手段が送信するように制御することを特徴としている。
【００２５】
さらに、本発明に係る携帯端末は、上記の構成において、上記赤外線送信制御手段による制御は、ビデオ電話を開始または終了するとき、自動的に行うか、或いは、その旨を利用者に報知して、利用者からの指示に基づいて行うかを設定する設定手段を備えることを特徴としている。
【００２６】
また、本発明に係るクレードルは、ビデオ電話機能を有する携帯端末を収容するクレードルであって、上記携帯端末は、自端末の映像信号および音声信号を無線で送信するとともに、相手端末の映像信号および音声信号を無線で受信するものであり、上記携帯端末と通信を行うための通信手段と、外部からの映像信号が入力される映像外部入力手段と、上記携帯端末から上記通信手段を介して受信した上記自端末および／または相手端末の映像信号と、上記映像外部入力手段に入力される上記外部からの映像信号との合成を行う映像合成手段と、該映像合成手段が合成した合成映像信号を外部に出力する映像外部出力手段とを備えることを特徴としている。
【００２７】
さらに、本発明に係るクレードルは、上記の構成において、外部からの音声信号が入力される音声外部入力手段と、上記携帯端末から上記通信手段を介して受信した上記自端末および／または相手端末の音声信号と、上記音声外部入力手段に入力される上記外部からの音声信号との合成を行う音声合成手段と、該音声合成手段が合成した合成音声信号を外部に出力する音声外部出力手段とをさらに備えることを特徴としている。
【００２８】
さらに、本発明に係るクレードルは、上記の構成において、上記音声合成手段は、上記自端末および／または相手端末の音声信号と上記外部からの音声信号との音量レベルを調整してから合成することを特徴としている。
【００２９】
さらに、本発明に係るクレードルは、上記の構成において、上記音声合成手段は、上記外部からの音声信号を上記自端末および／または相手端末の音声信号よりも音量レベルを低下させるよう調整してから合成することを特徴としている。
【００３０】
さらに、本発明に係るクレードルは、上記の構成において、上記自端末および／または相手端末の映像信号と、上記外部からの映像信号と、上記合成映像信号との中から上記映像外部出力手段が外部に出力する映像信号を、上記携帯端末から上記通信手段を介して受信する指示信号に基づいて選択する映像選択手段をさらに備えることを特徴としている。
【００３１】
さらに、本発明に係るクレードルは、上記の構成において、上記映像外部出力手段が映像信号を出力する出力先の表示装置に対して、赤外線で信号を送信する赤外線送信手段と、上記携帯端末から通信手段を介して受信する指示信号に基づいて、上記出力先の表示装置を制御する制御信号を上記赤外線送信手段が送信するように制御する赤外線送信制御手段とをさらに備えることを特徴としている。
【００３２】
また、本発明に係る携帯端末の制御方法は、ビデオ電話機能を有する携帯端末であって、自端末の映像信号および音声信号を無線で送信するとともに、相手端末の映像信号および音声信号を無線で受信する携帯端末を制御する制御方法であって、外部から映像信号が入力され、入力された外部からの映像信号と、上記自端末および／または相手端末の映像信号とを合成し、合成した合成映像信号を外部に出力することを特徴としている。
【００３３】
また、本発明に係るクレードルの制御方法は、ビデオ電話機能を有する携帯端末を収容するクレードルを制御する制御方法であって、上記携帯端末は、自端末の映像信号および音声信号を無線で送信するとともに、相手端末の映像信号および音声信号を無線で受信するものであり、上記クレードルは、上記携帯端末と通信を行うための通信手段を備えており、外部から映像信号が入力され、上記携帯端末から上記通信手段を介して上記自端末および／または相手端末の映像信号を受信し、入力された外部からの映像信号と、受信した上記自端末および／または相手端末の映像信号とを合成し、合成した合成映像信号を外部に出力することを特徴としている。
【００３４】
また、本発明に係る制御プログラムは、上記携帯端末を動作させるための制御プログラムであって、コンピュータを上記映像選択手段または上記赤外線送信制御手段として機能させるための制御プログラムであることを特徴としている。
【００３５】
また、本発明に係る制御プログラムは、上記クレードルを動作させるための制御プログラムであって、コンピュータを上記映像選択手段または上記赤外線送信制御手段として機能させるための制御プログラムであることを特徴としている。
【００３６】
また、本発明に係るコンピュータ読取り可能な記録媒体は、上記制御プログラムが記録されていることを特徴としている。
【発明の効果】
【００３７】
上記のように、本発明に係る携帯端末は、外部からの映像信号が入力される映像外部入力手段と、上記外部からの映像信号と、上記自端末および／または相手端末の映像信号との合成を行う映像合成手段と、該映像合成手段が合成した合成映像信号を外部に出力する映像外部出力手段とを備える構成である。
【００３８】
ここで、上記携帯端末としては、ビデオ電話機能を有し、かつ、無線での通信が可能な情報処理端末であれば、携帯電話機、ＰＨＳ（Personal Handy-phone System）、ＰＤＡ（Personal Digital Assistant）など、任意の端末を利用することができる。
【００３９】
また、外部の映像信号としては、ＴＶ放送の映像信号や、ＶＴＲ（Video Tape Recorder）、ＤＶＤ（Digital Versatile Disk）レコーダ、ＨＤＤ（Hard Disk Drive）レコーダなどのビデオレコーダから再生された映像信号が挙げられる。
【００４０】
これにより、映像外部入力手段にて入力された外部からの映像信号と、自端末および／または相手端末の映像信号とが、映像合成手段にて合成されて、映像外部出力手段を介して外部に出力される。したがって、出力先の表示装置には、相手端末および／または自端末の映像と外部の映像とが同時に表示されることになる。
【００４１】
このように、本発明では、相手端末および／または自端末の映像と外部の映像との合成が携帯端末にて行われるため、合成した映像の出力先の表示装置に、映像を合成する機能を有する必要がない。したがって、相手端末および／または自端末の映像と外部の映像とを同時に表示する表示装置として、一般に普及しているＴＶ受像機を利用できるという効果を奏する。
【００４２】
さらに、本発明に係る携帯端末は、上記の構成において、上記映像外部入力手段は、上記外部からの映像信号を自端末での処理に適した形式に変換し、かつ、上記映像外部出力手段は、上記合成映像信号を出力する出力先の表示装置に適した形式に、上記合成映像信号を変換する構成である。
【００４３】
これにより、映像外部入力手段にて入力される映像信号や、映像外部出力手段から出力される映像信号として、出力先の表示装置に適した形式の映像信号を利用できるので、例えばＴＶ受像機に代表される映像信号を入力可能な既存の表示装置を出力先の表示装置として利用できるという効果を奏する。
【００４４】
なお、映像とともに音声も合成されることが望ましい。すなわち、外部からの音声信号が入力される音声外部入力手段と、上記外部からの音声信号と、上記自端末および／または相手端末の音声信号とを合成する音声合成手段と、該音声合成手段が合成した合成音声信号を外部に出力する音声外部出力手段とをさらに備えることが望ましい。
【００４５】
また、この場合、上記音声外部入力手段は、上記外部からの音声信号を自端末での処理に適した形式に変換し、かつ、上記音声外部出力手段は、上記合成音声信号を出力する出力先の音声出力装置に適した形式に上記合成音声信号を変換することが望ましい。
【００４６】
また、上記音声合成手段は、上記自端末および／または相手端末の音声信号と上記外部からの音声信号との音量レベルを調整してから合成することが望ましい。この場合、所望する方の音声を大きくするか、他方の音声を小さくできるので、所望する方の音声が聞き易くなるという効果を奏する。例えば、外部からの音声信号を自端末および／または相手端末の音声信号よりも音量レベルを低下させるよう調整することにより、自端末および／または相手端末の音声を聞き取り易くすることができる。
【００４７】
さらに、本発明に係る携帯端末は、上記の構成において、撮影を行って上記自端末の映像信号を作成する映像入力手段と、映像信号に基づいて映像を表示する映像表示手段と、上記映像入力手段が作成した上記自端末の映像信号と、上記相手端末の映像信号と、上記外部からの映像信号と、上記合成映像信号との中から、上記映像外部出力手段が外部に出力する映像信号と、上記映像表示手段が表示するための映像信号とをそれぞれ選択する映像選択手段とをさらに備える構成である。
【００４８】
上記の構成によると、映像外部出力手段から出力する映像信号を、自端末の映像信号、相手端末の映像信号、および合成映像信号の中から選択できるので、所望の映像を外部の表示装置に表示できるという効果を奏する。例えば、外部の表示装置に自端末の映像を表示すれば、自端末の映像が相手端末の利用者にどのように見られているかを適切に確認することができ、有用である。
【００４９】
なお、上記映像合成手段は、上記外部からの映像信号と、上記相手端末の映像信号との合成を行い、上記映像選択手段は、上記映像外部出力手段が外部に出力する映像信号として、上記映像合成手段が合成した合成映像信号を選択し、上記映像表示手段が表示するための映像信号として、上記自端末の映像信号を選択することが望ましい。この場合、相手映像を外部の表示装置が表示し、自機映像を自端末の映像表示手段が表示するので、自端末の表示画面に自機映像を大きく表示することができ、自機映像が見易くなるという効果を奏する。
【００５０】
さらに、本発明に係る携帯端末は、上記の構成において、上記映像合成手段が合成を行うか否かを制御する映像合成制御手段をさらに備えており、ビデオ電話を開始するときに、上記映像合成制御手段は、上記映像合成手段が合成を行うように制御し、上記映像選択手段は、上記映像外部出力手段が外部に出力する映像信号として上記合成映像信号を選択する構成である。
【００５１】
ここで、ビデオ電話を開始するときとは、自機からビデオ電話要求を発信したとき、或いは相手機からビデオ電話要求を着信したときをいう。上記の構成によると、ビデオ電話を開始するときに、出力先の表示装置にＴＶ映像と相手映像とを合成した映像を自動的に表示できるという効果を奏する。
【００５２】
さらに、本発明に係る携帯端末は、上記の構成において、ビデオ電話を終了するときに、上記映像合成制御手段は、上記映像合成手段が合成を中止するように制御し、上記映像選択手段は、上記映像外部出力手段が外部に出力する映像信号として上記外部からの映像信号を選択する構成である。
【００５３】
これにより、ビデオ電話を行わない場合には、出力先の表示装置に外部の映像が表示されるので、利用者が出力先の表示装置に外部の映像を表示させるための手間を省略できるという効果を奏する。
【００５４】
さらに、本発明に係る携帯端末は、上記の構成において、上記映像外部出力手段が映像信号を出力する出力先の表示装置に対して、赤外線で信号を送信する赤外線送信手段と、上記出力先の表示装置を制御する制御信号を上記赤外線送信手段が送信するように制御する赤外線送信制御手段とをさらに備える構成である。
【００５５】
これにより、上記携帯端末は、出力先の表示装置を赤外線で遠隔操作できるので、出力先の表示装置を直接操作したり、別の遠隔操作機を利用したりすること無く、出力先の表示装置に合成した映像を表示することができ、利用者の手間を省略できるという効果を奏する。
【００５６】
なお、上記赤外線送信制御手段は、ビデオ電話を開始するときに、上記出力先の表示装置の電源をオンにする制御信号を上記赤外線送信手段が送信したり、ビデオ電話を終了するときに、上記出力先の表示装置の電源をオフにする制御信号を上記赤外線送信手段が送信したりするように上記赤外線送信手段を制御することが望ましい。
【００５７】
また、上記赤外線送信制御手段は、ビデオ電話を開始するときに、上記出力先の表示装置の映像入力を上記映像出力手段からの映像入力に切り替える制御信号を上記赤外線送信手段が送信したり、ビデオ電話を終了するときに、上記出力先の表示装置の映像入力を上記映像出力手段からの映像入力から例えばＴＶ入力のような元の映像入力に切り替える制御信号を上記赤外線送信手段が送信するように上記赤外線送信手段を制御することが望ましい。
【００５８】
なお、上記赤外線送信制御手段による制御は、ビデオ電話を開始または終了するとき、自動的に行うか、或いは、その旨を利用者に報知して、利用者からの指示に基づいて行うかを設定する設定手段を備えることが望ましい。この場合、利用者による携帯端末の利用形態に応じて柔軟に対応できるという効果が期待できる。
【００５９】
また、本発明に係るクレードルは、上記携帯端末と通信を行うための通信手段と、外部からの映像信号が入力される映像外部入力手段と、上記携帯端末から上記通信手段を介して受信した上記自端末および／または相手端末の映像信号と、上記映像外部入力手段に入力される上記外部からの映像信号との合成を行う映像合成手段と、該映像合成手段が合成した合成映像信号を外部に出力する映像外部出力手段とを備える構成である。
【００６０】
これにより、映像外部入力手段にて入力された外部からの映像信号と、自端末および／または相手端末の映像信号とが、映像合成手段にて合成されて、映像外部出力手段を介して外部に出力される。したがって、出力先の表示装置には、相手端末および／または自端末の映像と外部の映像とが同時に表示されることになる。
【００６１】
このように、本発明では、相手端末および／または自端末の映像と外部の映像との合成がクレードルにて行われるため、合成した映像の出力先の表示装置に、映像を合成する機能を有する必要がない。したがって、相手端末および／または自端末の映像と外部の映像とを同時に表示する表示装置として、一般に普及しているＴＶ受像機を利用できるという効果を奏する。また、携帯端末には通信手段を設けるのみで良く、映像外部入力手段や映像外部出力手段を設ける必要がないので、携帯端末の装置規模が大きくなることを防止するという効果を奏する。
【００６２】
なお、映像とともに音声も合成されることが望ましい。すなわち、外部からの音声信号が入力される音声外部入力手段と、上記携帯端末から上記通信手段を介して受信した上記自端末および／または相手端末の音声信号と、上記音声外部入力手段に入力される上記外部からの音声信号との合成を行う音声合成手段と、該音声合成手段が合成した合成音声信号を外部に出力する音声外部出力手段とをさらに備えることが望ましい。
【００６３】
また、上記音声合成手段は、上記自端末および／または相手端末の音声信号と上記外部からの音声信号との音量レベルを調整してから合成することが望ましい。この場合、所望する方の音声を大きくするか、他方の音声を小さくすることにより、所望する方の音声が聞き易くなるという効果を奏する。例えば、外部からの音声信号を自端末および／または相手端末の音声信号よりも音量レベルを低下させるよう調整することにより、自端末および／または相手端末の音声を聞き取り易くすることができる。
【００６４】
さらに、本発明に係るクレードルは、上記の構成において、上記自端末および／または相手端末の映像信号と、上記外部からの映像信号と、上記合成映像信号との中から上記映像外部出力手段が外部に出力する映像信号を、上記携帯端末から上記通信手段を介して受信する指示信号に基づいて選択する映像選択手段をさらに備える構成である。
【００６５】
上記の構成によると、携帯端末からの指示により、映像外部出力手段から出力する映像信号を、自端末の映像信号、相手端末の映像信号、および合成映像信号の中から選択できるので、所望の映像を外部の表示装置に表示できるという効果を奏する。例えば、外部の表示装置に自端末の映像を表示すれば、自端末の映像が相手端末の利用者にどのように見られているかを適切に確認することができる。また、例えばビデオ電話を行うときに合成した映像を表示し、ビデオ電話を行わないときに外部の映像を表示すれば、利用者が出力先の表示装置に外部の映像を表示させるための手間を省略することができる。
【００６６】
さらに、本発明に係るクレードルは、上記の構成において、上記映像外部出力手段が映像信号を出力する出力先の表示装置に対して、赤外線で信号を送信する赤外線送信手段と、上記携帯端末から通信手段を介して受信する指示信号に基づいて、上記出力先の表示装置を制御する制御信号を上記赤外線送信手段が送信するように制御する赤外線送信制御手段とをさらに備える構成である。
【００６７】
これにより、上記クレードルは、出力先の表示装置を赤外線で遠隔操作できるので、出力先の表示装置を直接操作したり、別の遠隔操作機を利用したりすること無く、出力先の表示装置に合成した映像を表示することができ、利用者の手間を省略できるという効果を奏する。
【００６８】
また、本発明に係る携帯端末の制御方法は、外部から映像信号が入力され、入力された外部からの映像信号と、上記自端末および／または相手端末の映像信号とを合成し、合成した合成映像信号を外部に出力する制御方法である。
【００６９】
これにより、外部からの映像信号と、自端末および／または相手端末の映像信号とが合成されて外部に出力される。したがって、出力先の表示装置には、相手端末および／または自端末の映像と外部の映像とが同時に表示されることになる。
【００７０】
このように、本発明では、相手端末および／または自端末の映像と外部からの映像との合成が携帯端末にて行われるため、合成した映像の出力先の表示装置に、映像を合成する機能を有する必要がない。したがって、相手端末および／または自端末の映像と外部の映像とを同時に表示する表示装置として、一般に普及しているＴＶ受像機を利用できるという効果を奏する。
【００７１】
また、本発明に係るクレードルの制御方法は、外部から映像信号が入力され、上記携帯端末から上記通信手段を介して上記自端末および／または相手端末の映像信号を受信し、入力された外部からの映像信号と、受信した上記自端末および／または相手端末の映像信号とを合成し、合成した合成映像信号を外部に出力する制御方法である。
【００７２】
これにより、外部からの映像信号と、自端末および／または相手端末の映像信号とが合成されて外部に出力される。したがって、出力先の表示装置には、相手端末および／または自端末の映像と外部の映像とが同時に表示されることになる。
【００７３】
このように、本発明では、相手端末および／または自端末の映像と外部の映像との合成がクレードルにて行われるため、合成した映像の出力先の表示装置に、映像を合成する機能を有する必要がない。したがって、相手端末および／または自端末の映像と外部の映像とを同時に表示する表示装置として、一般に普及しているＴＶ受像機を利用できるという効果を奏する。また、携帯端末には通信手段を設けるのみで良く、映像外部入力手段や映像外部出力手段を設ける必要がないので、携帯端末の装置規模が大きくなることを防止するという効果を奏する。
【００７４】
なお、上記携帯端末における映像選択手段または赤外線送信制御手段を、制御プログラムによりコンピュータ上で実行させることができる。また、上記クレードルにおける映像選択手段または赤外線送信制御手段を、制御プログラムによりコンピュータ上で実行させることができる。さらに、上記制御プログラムをコンピュータ読取り可能な記録媒体に記憶させることにより、任意のコンピュータ上で上記制御プログラムを実行させることができる。
【発明を実施するための最良の形態】
【００７５】
〔実施の形態１〕
以下、本発明の一実施形態について図１ないし図６に基づいて説明する。なお、以下では、携帯端末として好適な携帯電話機に本発明を適用した場合について説明するが、本発明はそれに留まるものではなく、ビデオ電話機能を有するものであれば、ＰＨＳ、ＰＤＡなどの任意の携帯端末に適用できることは勿論である。
【００７６】
また、出力先の表示装置としてＴＶ（テレビジョン）受像機を採用した場合を説明している。しかしながら、出力先の表示装置としては、携帯端末の表示サイズよりも大きい表示サイズを有し映像入力機能や音声入力機能を有する表示装置であれば良く、また、ＴＶチューナーを有さない例えば表示モニター等であっても良い。
【００７７】
図２は、本実施形態のビデオ電話システムの概略構成を示している。図示のように、ビデオ電話システム１は、相手側のビデオ電話機能付携帯電話機（以下、「携帯電話機」と略称する。）２、基地局３、公衆回線網４、基地局５、自側の携帯電話機６、ＴＶ（television）チューナ７、およびＴＶ受像機８を備える構成である。
【００７８】
携帯電話機２・６と基地局３・５との間は、それぞれ無線回線により接続され、基地局３・５間は一般の公衆回線網４により接続される。これにより、携帯電話機２・６間で回線接続されて、通話やビデオ電話を行うことができる。
【００７９】
本実施形態では、自側の携帯電話機６は、ＴＶチューナ７およびＴＶ受像機８と接続している。自側の携帯電話機６は、ＴＶチューナ７からのＴＶ映像およびＴＶ音声と、相手側の携帯電話機２からの映像および音声（以下、「相手映像および相手音声」と称する。）とを合成して、合成した映像および音声をＴＶ受像機８に出力する。これにより、映像を合成する機能を有さない一般のＴＶ受像機８を利用して、ＴＶ映像と相手映像とを合成した映像を表示することができる。
【００８０】
以下、自側の携帯電話機６、ＴＶチューナ７、およびＴＶ受像機８の詳細について説明する。図１は、自側の携帯電話機６、ＴＶチューナ７、およびＴＶ受像機８の概略構成を示している。なお、以下では、携帯電話機６内での処理に適したデジタル形式の信号を「データ」と称する。
【００８１】
まず、ＴＶチューナ７の構成について説明する。ＴＶチューナ７は、外部からアンテナ４０を介して所望のチャンネルの電波を選択して受信し、これを例えばＮＴＳＣ（National Television System Committee）形式などの所定形式の映像信号および音声信号に変換して、ＴＶ映像信号出力部４１およびＴＶ音声信号出力部４２から外部に出力する。
【００８２】
ＴＶチューナ７の例としては、ＶＴＲ、ＤＶＤレコーダ、ＨＤＤレコーダなどのビデオレコーダが挙げられる。なお、下記の実施形態のように、ＴＶ映像信号およびＴＶ音声信号を外部に出力する機能を有するＴＶ受像機をＴＶチューナ７として利用することもできる。
【００８３】
次に、携帯電話機６の構成について説明する。携帯電話機２は、映像入力部（映像入力手段）１０、音声入力部１１、映像表示部（映像表示手段）１２、音声出力部１３、ＡＶコーデック部（ＡＶコーデック手段）１４、無線処理部１５、アンテナ１６、操作部１７、および制御部１８を備える構成である。
【００８４】
映像入力部１０は、被写体の撮影を行って映像データを生成し、生成した映像データを映像表示部１２およびＡＶコーデック部１４に送信することにより、映像の入力を行う。具体的には、映像入力部１０としては、被写体からの光を電気信号に変換するＣＣＤ（Charge Coupled Device）、ＣＭＯＳ（Complementary Metal-oxide Semiconductor）などの撮像素子と、撮像素子からの電気信号をＲＧＢ各色のデジタル映像データに変換する映像処理回路とを備える構成が挙げられる。
【００８５】
音声入力部１１は、音声を音声データに変換し、変換した音声データをＡＶコーデック部１４に送信することにより、音声の入力を行う。具体的には、音声入力部１１は、音波を電気信号に変換するマイクロホンと、Ａ／Ｄ変換器、アンプなどからなり、マイクロホンからの電気信号をデジタル音声データに変換する音声入力処理回路とを備える構成である。
【００８６】
映像表示部１２は、映像入力部１０およびＡＶコーデック部１４から映像データを受信し、受信した映像データに基づいて映像を表示する。具体的には、映像表示部１２は、プラズマディスプレイ、液晶ディスプレイ（ＬＣＤ）、ＥＬ（Electroluminescence）ディスプレイなどの表示素子と、受信した映像データに基づいて表示素子を駆動するドライバ回路とを備える構成である。
【００８７】
音声出力部１３は、ＡＶコーデック部１４から音声データを受信し、受信した音声データに基づいて音声を出力する。具体的には、音声出力手段は、Ｄ／Ａ変換器、アンプなどからなり、受信した音声データを電気信号に変換する音声出力処理回路と、電気信号を音波に変換するスピーカやイヤホンとを備える構成である。なお、携帯電話機は、通話を行う場合にはイヤホンが利用され、ビデオ電話や着信の報知を行う場合にはスピーカが利用される。
【００８８】
ＡＶコーデック部１４は、映像データおよび音声データの符号化と復号化とを行う。図３は、ビデオ電話機能付携帯電話機にて利用されるＡＶコーデック部１４の概略構成を示している。図示のように、ＡＶコーデック部１４は、映像符号化部５１、音声符号化部５２、ＡＶ多重化部５３、ＡＶ分離部５４、映像復号化部５５、および音声復号化部５６を備える構成である。なお、ＡＶコーデック部１４は、通常、１チップのＬＳＩ（Large Scale Integrated Circuit）で提供される。
【００８９】
映像符号化部５１は、映像入力部１０などから入力された映像データを符号化し、音声符号化部５２は、音声入力部１１などから入力された音声データを符号化する。ＡＶ多重化部５３は、映像符号化部５１および音声符号化部５２にて符号化された映像データおよび音声データを多重化し、多重化されたデータであるＡＶストリームデータを制御部１８を介して無線処理部１５などに送信する。
【００９０】
一方、ＡＶ分離部５４は、無線処理部１５などから制御部１８を介して入力されたＡＶストリームデータを、符号化された映像データおよび音声データに分離する。映像復号化部５５は、ＡＶ分離部５４にて分離された映像データを復号化し、復号化された映像データを映像表示部１２などに出力する。音声復号化部５６は、分離された音声データを復号化し、復号化された音声データを音声出力部１３などに出力する。
【００９１】
ＡＶコーデック部１４は、例えば３ＧＰＰで標準化された３Ｇ−３２４Ｍのような、ビデオ電話の規格に準拠している。３Ｇ−３２４Ｍで利用される映像データのコーデックの例としては、ＩＴＵ−Ｔ  Ｈ．２６３やＭＰＥＧ−４が挙げられる。また、３Ｇ−３２４Ｍで利用される音声データのコーデックの例としては、ＧＳＭ−ＡＭＲが挙げられる。
【００９２】
ここで、３ＧＰＰは、3rd Generation Partnership Projectの略称である。また、ＩＴＵ−Ｔは、International Telecommunications Union Telecommunication Standardization Sectorの略称であり、ＭＰＥＧは、Moving Picture Experts Groupの略称である。また、ＧＳＭは、Global System for Mobile communicationの略称であり、ＡＭＲは、Adaptive Multirateの略称である。
【００９３】
無線処理部１５は、制御部１８から受信したデータを無線送信に適した形式に変換し、変換した無線信号をアンテナ１６を介して外部に送信するとともに、外部からアンテナ１６を介して受信した無線信号を元の形式に変換し、変換したデータを制御部１８に送信する。具体的には、無線処理部１５では、チャネルコーデック処理、データの変復調処理、ベースバンド信号処理、ＲＦ（Radio Frequency）処理などが行われる。
【００９４】
操作部１７は、携帯電話機６の表面に設けられた入力デバイスを利用者が操作することにより、操作データを作成して制御部１８に送信する。入力デバイスとしては、ボタンスイッチやタッチパネルなどが挙げられる。
【００９５】
制御部１８は、携帯電話機６内の各種構成を統括的に制御する。制御部１８の機能は、例えばＲＡＭ（Random Access Memory）やフラッシュメモリなどの記憶装置に記憶されたプログラムをＣＰＵ（Central Processing Unit）が実行することによって実現される。なお、制御部１８の詳細な構成については後述する。
【００９６】
さらに、本実施形態の携帯電話機６は、映像外部入力手段としてＴＶ映像信号入力部２０および映像Ｉ／Ｆ部２１を備え、映像合成手段として映像合成部２２を備え、映像外部出力手段として映像Ｉ／Ｆ部２３および映像信号出力部２４を備える構成である。
【００９７】
ＴＶ映像信号入力部２０は、ＴＶチューナ７のＴＶ映像信号出力部４１からのＴＶ映像信号が入力される。例えば、ＴＶ映像信号入力部２０は、図１に示されるように、ＴＶチューナ７のビデオ出力端子からのＴＶ映像信号がビデオケーブル３１を介して入力される場合には、ビデオ入力端子を備えることになる。ＴＶ映像信号入力部２０は、入力された映像信号を映像Ｉ／Ｆ２１に送信する。
【００９８】
映像Ｉ／Ｆ部２１は、ＴＶ映像信号入力部２０からのＴＶ映像信号を、携帯電話機６にて処理可能な信号形式に変換する。映像Ｉ／Ｆ部２１は、変換されたＴＶ映像データを映像合成部２２に送信する。
【００９９】
例えば、ＴＶチューナ７から出力される映像信号がＮＴＳＣ方式のアナログ映像信号であり、映像合成部２２にて処理される映像データがＲＧＢ方式のデジタル映像データである場合には、映像Ｉ／Ｆ部２１は、ＮＴＳＣデコード処理とＡ／Ｄ変換処理とを行うことになる。なお、最近のＴＶ受像機やビデオレコーダには、ＲＧＢ方式のデジタル映像データを出力する機種も存在し、このような機種をＴＶチューナ７として利用する場合には、映像Ｉ／Ｆ部２１を省略することができる。
【０１００】
映像合成部２２は、ビデオ電話を行っている場合には、制御部１８からの指示に基づき、ＡＶコーデック部１４からの相手映像データと、映像Ｉ／Ｆ部２１からのＴＶ映像データとを利用して、相手映像とＴＶ映像との合成を行うことにより、合成映像データを作成する。映像合成部２２は、作成した合成映像データを映像Ｉ／Ｆ部２３に送信する。一方、ビデオ電話を行っていない場合には、映像合成部２２は、制御部１８からの指示に基づき、相手映像とＴＶ映像との合成を行わず、ＴＶ映像データを映像Ｉ／Ｆ部２３に送信する。
【０１０１】
ここで、相手映像とＴＶ映像との合成パターンには、種々のものが考えられる。例えば、相手映像およびＴＶ映像の一方を隅の画像領域に表示し、他方を残りの画像領域全体に表示することが挙げられる。また、画像領域全体を半分に分け、一方の画像領域に相手映像を表示し、他方の画像領域にＴＶ映像を表示することが挙げられる。
【０１０２】
なお、映像合成部２２は、ＡＶコーデック部１４から相手映像データを受信している場合には、相手映像とＴＶ映像との合成を行って、合成映像データを映像Ｉ／Ｆ部２３に送信する一方、ＡＶコーデック部１４から相手映像データを受信していない場合には、ＴＶ映像データを映像Ｉ／Ｆ部２３に送信してもよい。この場合、制御部１８からの指示は不要となる。
【０１０３】
映像Ｉ／Ｆ部２３は、映像合成部２２からの合成映像データまたはＴＶ映像データを、外部の表示装置であるＴＶ受像機８にて利用できる信号形式に変換する。映像Ｉ／Ｆ部２３は、変換された映像信号を映像信号出力部２４に送信する。
【０１０４】
例えば、映像合成部２２からの映像データが、ＲＧＢ方式のデジタル映像データであり、ＴＶ受像機８にて利用される映像信号がＮＴＳＣ方式のアナログ映像信号である場合には、映像Ｉ／Ｆ部２３は、Ｄ／Ａ変換処理とＮＴＳＣエンコード処理とを行うことになる。なお、外部の表示装置としてＴＶ受像機８の代わりにＰＣ（Personal Computer）用ディスプレイを利用する場合には、ＰＣ用ディスプレイはＲＧＢ方式のデジタル映像データをそのまま利用できるので、映像Ｉ／Ｆ部２３を省略することができる。
【０１０５】
映像信号出力部２４は、映像Ｉ／Ｆ部２３が変換した映像信号をＴＶ受像機８に出力する。例えば、映像信号出力部２４は、図１に示されるように上記映像信号をビデオケーブル３２を介してＴＶ受像機８のビデオ入力端子に出力する場合には、ビデオ出力端子を備えることになる。
【０１０６】
さらに、本実施形態の携帯電話機６は、音声外部入力手段としてＴＶ音声信号入力部２５および音声Ｉ／Ｆ部２６を備え、音声合成手段として音量調整部２７および音声合成部２８を備え、音声外部出力手段として音声Ｉ／Ｆ部２９および音声信号出力部３０を備える構成である。
【０１０７】
ＴＶ音声信号入力部２５は、ＴＶチューナ７のＴＶ音声信号出力部４２からのＴＶ音声信号が入力される。例えば、ＴＶ音声信号入力部２５は、図１に示されるように、ＴＶチューナ７のオーディオ出力端子からのＴＶ音声信号がオーディオケーブル３３を介して入力される場合には、オーディオ入力端子を備えることになる。ＴＶ音声信号入力部２５は、入力された音声信号を音声Ｉ／Ｆ２６に送信する。
【０１０８】
音声Ｉ／Ｆ部２６は、ＴＶ音声信号入力部２５からのＴＶ音声信号を、携帯電話機６にて処理可能な信号形式に変換する。音声Ｉ／Ｆ部２６は、変換されたＴＶ音声データを音量調整部２７に送信する。
【０１０９】
例えば、ＴＶチューナ７から出力される音声信号がアナログ音声信号であり、音声合成部２８にて処理される音声データがＰＣＭ（pulse code modulation）データである場合には、音声Ｉ／Ｆ部２１は、Ａ／Ｄ変換処理を行うことになる。なお、最近のＴＶ受像機やビデオレコーダには、音声データとしてＰＣＭデータを出力する機種も存在し、このような機種をＴＶチューナ７として利用する場合には、音声Ｉ／Ｆ部２６を省略することができる。
【０１１０】
音量調整部２７は、通常は、制御部１８からの指示に基づき、音声Ｉ／Ｆ部２６からのＴＶ音声データの音量レベルを調整する。また、音量調整部２７は、ビデオ電話を行っている場合には、制御部１８からの指示に基づき、音声Ｉ／Ｆ部２６からのＴＶ音声データの音量レベルを低下させるように調整する。これは、ＴＶ音声に比べて相手音声を聞き取り易くするためである。音量調整部２７は、調整されたＴＶ音声データを音声合成部２８に送信する。
【０１１１】
なお、音量調整部２７がＴＶ音声データの音量レベルを低下させるか否かを、音声合成部２８がＡＶコーデック部１４から相手音声データを受信しているか否かに連動しても良い。この場合、制御部１８からの指示は不要となる。また、音量調整部２７は、ＡＶコーデック部１４と音声合成部２８との間に設けることもできる。この場合、音量調整部２７は、ビデオ電話を行っている場合には、制御部１８からの指示に基づき、ＡＶコーデック部１４からの相手音声データの音量レベルを上昇させるように調整することになる。
【０１１２】
また、相手音声データの音量レベルを低下させることも考えられる。これは、重要視しているＴＶ音声（ＤＶＤ、ビデオなども含む）を優先的に聞きたいときには有用である。さらに何れを優先するのかを端末側で設定可能とすることで、柔軟に対応することが可能となる。
【０１１３】
音声合成部２８は、ビデオ電話を行っている場合には、制御部１８からの指示に基づき、ＡＶコーデック部１４からの相手音声データと、音量調整部２７からのＴＶ音声データとを利用して、相手音声とＴＶ音声との合成を行うことにより、合成音声データを作成する。音声合成部２８は、作成した合成音声データを音声Ｉ／Ｆ部２９に送信する。一方、ビデオ電話を行っていない場合には、音声合成部２８は、制御部１８からの指示に基づき、相手音声とＴＶ音声との合成を行わず、ＴＶ音声データを音声Ｉ／Ｆ部２９に送信する。
【０１１４】
なお、音声合成部２８は、ＡＶコーデック部１４から相手音声データを受信している場合には、相手音声とＴＶ音声との合成を行って、合成音声データを音声Ｉ／Ｆ部２９に送信する一方、ＡＶコーデック部１４から相手音声データを受信していない場合には、ＴＶ音声データを音声Ｉ／Ｆ部２９に送信してもよい。この場合、制御部１８からの指示は不要となる。
【０１１５】
音声Ｉ／Ｆ部２９は、音声合成部２８からの合成音声データまたはＴＶ音声データを、外部の音声出力装置であるＴＶ受像機８にて利用できる信号形式に変換する。音声Ｉ／Ｆ部２９は、変換された音声信号を音声信号出力部３０に送信する。
【０１１６】
例えば、音声合成部２８からの音声データが、ＰＣＭデータであり、ＴＶ受像機８にて利用される音声信号がアナログ音声信号である場合には、音声Ｉ／Ｆ部２９は、Ｄ／Ａ変換処理を行うことになる。なお、最近のＴＶ受像機には、音声データとしてＰＣＭデータを処理できる機種も存在し、このような機種をＴＶ受像機８として利用する場合には、音声Ｉ／Ｆ部２９を省略することができる。
【０１１７】
音声信号出力部３０は、音声Ｉ／Ｆ部２９が変換した音声信号をＴＶ受像機８に出力する。例えば、音声信号出力部３０は、図１に示されるように上記音声信号をビデオケーブル３４を介してＴＶ受像機８のオーディオ入力端子に出力する場合には、オーディオ出力端子を備えることになる。
【０１１８】
なお、上記映像信号および上記音声信号の出力は、上記のように有線で行っても良いし、ＴＶチューナ７にて出力可能、或いはＴＶ受像機８で入力可能であれば、ＩｒＤＡ、Ｂｌｕｅｔｏｏｔｈ（登録商標）、ＩＥＥＥ８０２．１１などの無線で行っても良い。無線で行う場合には、映像信号出力部２４、音声信号出力部３０、ＴＶ映像信号出力部４１、およびＴＶ音声信号出力部４２は、映像信号および音声信号を無線に適した形式に変換する処理を行う必要がある。また、上記映像信号および上記音声信号をシリアル形式で出力しても良いし、パラレル形式で出力しても良い。
【０１１９】
次に、ＴＶ受像機８の構成について説明する。本実施形態で利用されるＴＶ受像機８は、映像信号がＮＴＳＣ方式の映像信号であり、ビデオ入力端子およびオーディオ入力端子を備えている一般的なＴＶ受像機である。図１に示されるように、ＴＶ受像機８は、映像信号入力部４３、音声信号入力部４４、映像表示部４５、および音声出力部４６を備える構成である。
【０１２０】
映像信号入力部４３は、携帯電話機６の映像信号出力部２４からの映像信号が入力されるものであり、例えば、ビデオ入力端子を備える構成である。映像信号入力部４３は、入力された映像信号を映像表示部４５に送信する。
【０１２１】
音声信号入力部４４は、携帯電話機６の音声信号出力部３０からの音声信号が入力されるものであり、例えば、オーディオ入力端子を備える構成である。音声信号入力部４４は、入力された音声信号を音声出力部４６に送信する。
【０１２２】
なお、上記映像信号および音声信号の入力は、上記のように有線で行っても良いし、無線で行っても良い、無線で行う場合には、映像信号入力部４３および音声信号入力部４４は、無線信号を受信するアンテナなどの無線受信手段と、無線信号を元の形式に変換する無線処理手段とを備える必要がある。
【０１２３】
映像表示部４５は、映像信号入力部４３からの映像信号に基づいて映像を表示する。具体的には、映像表示部４５は、映像表示部１２と同様に、ＬＣＤ、ＥＬディスプレイ、ＰＤＰ（Plasma Display Panel）、ＣＲＴ（Cathode Ray Tube）などの表示素子と、受信した映像信号に基づいて表示素子を駆動するドライバ回路とを備える構成である。
【０１２４】
音声出力部４６は、音声信号入力部４４からの音声信号に基づいて音声を出力する。具体的には、音声出力部４６は、アンプなどの音声出力処理回路と、電気信号を音波に変換するスピーカを備える構成である。
【０１２５】
次に、携帯電話機６における制御部１８の詳細について説明する。図４は、制御部１８の概略構成を示している。図示のように、制御部１８は、通話制御部６０、通信サービス処理部６１、ＡＶコーデック制御部６２、表示制御部（表示制御手段、映像選択手段）６３、音量制御部６４、および合成制御部（映像合成制御手段、映像選択手段）６５を備える構成である。
【０１２６】
通話制御部６０は、相手先からの呼出し処理、相手先への呼出し処理、通話の終了処理など、通話の開始および終了に関する各種処理を行う。具体的には、通話制御部６０は、相手先からの呼出しがあった場合には、通話の要求、ビデオ電話の要求、および電子メールの着信の何れであるかを判断し、判断結果を通信サービス処理部６１に通知する。また、通話制御部６０は、通信サービス処理部６１が選択した通信サービスに基づいて、相手先への呼出しを行う。
【０１２７】
また、通話制御部６０は、通話中やビデオ電話中には、ＡＶコーデック部１４と無線処理部１５との間でストリームデータの送受を行い、電子メール等の各種データの通信中には、通信サービス処理部６１と無線処理部１５との間でデータの送受を行うように制御する。
【０１２８】
通信サービス処理部６１は、通話サービス、ビデオ電話サービス、電子メールサービスなどの各種通信サービスに対応する処理を行うとともに、通信サービスに基づいて、ＡＶコーデック制御部６２、表示制御部６３、音量制御部６４、および合成制御部６５を制御する。通信サービスの処理は、利用者の指示を操作部１７から受け取ることにより、或いは相手先からの呼出しを通話制御部６０から受け取ることにより実行される。なお、本実施形態において、通信サービス処理部６１が行うＡＶコーデック制御部６２、表示制御部６３、音量制御部６４、および合成制御部６５への指示については後述する。
【０１２９】
ＡＶコーデック制御部６２は、通信サービス処理部６１が行う通信サービスに基づいて、ＡＶコーデック部１４を制御するものである。例えば、通話サービスを行う場合には、ＡＶコーデック制御部６２の制御により、ＡＶコーデック部１４は、音声データのコーデック（符号化および復号化）処理のみを行う。一方、ビデオ電話サービスを行う場合には、ＡＶコーデック制御部６２の制御により、ＡＶコーデック部１４は、映像データおよび音声データの符号化および多重化を行うとともに、ストリームデータの分離および復号化を行う。
【０１３０】
表示制御部６３は、通信サービス処理部６１が行う通信サービスに基づいて、映像表示部１２を制御するものである。例えば、相手先からの呼出しがあった場合には、表示制御部６３の制御により、相手先の電話番号、ビデオ電話の要求、電子メールの着信などを映像表示部１２の表示画面に表示して、各種情報を利用者に報知する。
【０１３１】
本実施形態では、通信サービス処理部６１がビデオ電話サービスを実行する場合には、表示制御部６３の制御により、映像表示部１２は、映像入力部１０からの映像データに基づいて映像を表示する。これにより、映像表示部１２には自機の撮影映像が表示されることになる。
【０１３２】
音量制御部６４は、操作部１７における利用者の操作に基づいて、または通信サービス処理部６１が行う通信サービスに基づいて、音量調整部２７を制御するものである。本実施形態では、利用者が操作部１７にて音量調整の操作を行うと、音量制御部６４の制御により、音量調整部２７は、上記操作に対応するようにＴＶ音声データの音量レベルを調整する。これにより、ＴＶ受像機８の音声出力部４５から出力されるＴＶ音声の音量レベルの調整を、ＴＶ受像機８を遠隔操作すること無く、携帯電話機６にて直接行うことができる。
【０１３３】
また、通信サービス処理部６１がビデオ電話サービスを実行する場合には、音量制御部６４の制御により、音量調整部２７は、ＴＶ音声データの音量レベルを低下させるように調整する。これにより、ＴＶ受像機８の音声出力部４５から出力されるＴＶ音声および相手音声のうち、相手音声の方を聞き取り易くすることができる。
【０１３４】
合成制御部６５は、通信サービス処理部６１が行う通信サービスに基づいて、映像合成部２２および音声合成部２８を制御するものである。すなわち、通信サービス処理部６１がビデオ電話サービスを実行する場合には、合成制御部６５の制御により、映像合成部２２は、相手映像とＴＶ映像との合成を行い、音声合成部２８は、相手音声とＴＶ音声との合成を行う。これにより、ＴＶ受像機８は、相手映像とＴＶ映像とを合成した映像を表示画面に表示するとともに、相手音声とＴＶ音声とを合成した音声を音声出力することができる。
【０１３５】
一方、通信サービス処理部６１がビデオ電話サービスを実行していない場合には、合成制御部６５の制御により、映像合成部２２は、相手映像とＴＶ映像との合成を行わずにＴＶ映像データを送信し、音声合成部２８は相手音声とＴＶ音声との合成を行わずにＴＶ音声データを送信する。これにより、ＴＶ受像機８は、ＴＶ映像を表示画面に表示するとともに、ＴＶ音声を音声出力することができる。
【０１３６】
したがって、本実施形態のビデオ電話システム１は、携帯電話機６に映像Ｉ／Ｆ部２１、音声Ｉ／Ｆ２６を設けているため、ＴＶチューナ７が、映像信号および音声信号を、携帯電話機６での処理に適した形式に変換する機能を有する必要はない。これにより、ＴＶ映像信号およびＴＶ音声信号を出力するＴＶチューナ７として、種々の装置を利用することができる。
【０１３７】
また、携帯電話機６に映像Ｉ／Ｆ部２３、音声Ｉ／Ｆ２９を設けているため、ＴＶ受像機８が、映像信号および音声信号を、自機での処理に適した形式に変換する機能を有する必要はない。これにより、ＴＶ映像およびＴＶ音声を出力するＴＶ受像機８として、種々の装置を利用することができる。
【０１３８】
上記構成のビデオ電話システム１において、相手先からビデオ電話が要求された場合に制御部１８が行う処理動作について、図５および図６に基づいて説明する。図５は、相手先からビデオ電話が要求された場合にビデオ電話を自動的に開始する処理動作を示している。
【０１３９】
まず、通話制御部６０が外部から発呼信号の着信を受け取るまで待機する（ステップＳ１０（以下「Ｓ１０」と略称することがある。他のステップについても同様である。））。上記着信を受け取ると、通信サービス処理部６１は、上記発呼信号がビデオ電話の要求に関するものか否かを判断し（Ｓ１１）、ビデオ電話の要求に関するものではない場合には（Ｓ１１でＮＯ）、その他の通信サービス処理を行う。なお、その他の通信サービス処理については従来と同様であるので、その説明を省略する。
【０１４０】
一方、ビデオ電話の要求に関するものである場合には（Ｓ１１でＹＥＳ）、ＡＶコーデック制御部６２は、上述のように、ビデオ電話のＡＶコーデック処理を行うようにＡＶコーデック部１４に指示する（Ｓ１２）。これにより、携帯電話機６にて入力された映像データおよび音声データが相手先に送信されるとともに、相手先からの映像データおよび音声データを取得することができる。その結果、図２に示されるように、相手側の携帯電話機２に、自側の携帯電話機６にて撮影された自機映像Ｂが表示されることになる。
【０１４１】
次に、合成制御部６５は、ビデオ電話が要求された旨の映像および音声を、ＴＶの映像および音声と合成するように、映像合成部２２および音声合成部２８に指示する（Ｓ１３）。これにより、ＴＶ受像機８にてＴＶ映像およびＴＶ音声を視聴している利用者に、ビデオ電話が要求された旨を知らせることができる。
【０１４２】
次に、音量制御部６４は、ＴＶ音声データの音量レベルを下げるように、音量調整部２７に指示する（Ｓ１４）。これにより、ＴＶ受像機８から出力される音声のうち、相手音声が聞き易くなる。
【０１４３】
次に、合成制御部６５は、相手先の映像および音声を、ＴＶの映像および音声と合成するように、映像合成部２２および音声合成部２８に指示する（Ｓ１５）。これにより、ＴＶ受像機８は、図２に示されるように、相手映像ＡとＴＶ映像Ｃとを同時に表示画面に表示することができるとともに、相手音声とＴＶ音声とを同時に音声出力することができる。
【０１４４】
次に、表示制御部６３は、映像入力部１０からの映像を表示するように映像表示部１２に指示する（Ｓ１６）。これにより、図２に示されるように、携帯電話機６の表示画面に自機映像Ｂが表示されることになる。通常のビデオ電話の場合、表示画面には相手映像が大きく表示され、自機映像が小さく表示されるため、自機映像を明瞭に表示することが困難である。これに対し、本実施形態では、ＴＶ受像機８に相手映像Ａを表示しているので、携帯電話機６の表示画面に自機映像Ｂを大きく表示することができる。
【０１４５】
その後、ビデオ電話の開始処理を終了して、ビデオ電話を実行する。なお、ステップＳ１２〜Ｓ１６の各処理は、順番を入れ替えても良いし、同時に行っても良い。また、自機から相手先にビデオ電話要求を発信する場合には、上記処理動作のうち、ステップＳ１０・Ｓ１１を省略すれば良い。
【０１４６】
図５は、ビデオ電話を終了する処理動作を示している。まず、通信サービス処理部６１は、操作部１７にて通話終了の操作が行われるか、或いは相手先（外部）から終話信号の着信があるまで待機する（Ｓ２０・Ｓ２１）。
【０１４７】
通話終了の操作または終話信号の着信があると、合成制御部６５は、ビデオ電話を終了した旨の映像および音声を、ＴＶの映像および音声と合成するように、映像合成部２２および音声合成部２８に指示する（Ｓ２２）。次に、音量制御部６４は、ＴＶ音声データの音量レベルを上げて元に戻すように、音量調整部２７に指示する（Ｓ２３）。
【０１４８】
次に、合成制御部６５は、相手先の映像および音声と、ＴＶの映像および音声との合成を中止して、ＴＶ映像データおよびＴＶ音声データを送信するように、映像合成部２２および音声合成部２８に指示する（Ｓ２４）。これにより、ＴＶ受像機８からＴＶ映像とＴＶ音声とが出力されることになる。したがって、ビデオ電話を終了すると、ＴＶ受像機８はＴＶ映像およびＴＶ音声の出力に自動的に切り替るので、利用者の手間を省略することができる。
【０１４９】
そして、表示制御部６３が映像表示部１２に対し表示の中止を指示し（Ｓ２５）、ＡＶコーデック制御部６２がＡＶコーデック部１４に対しＡＶコーデック処理の中止を指示して（Ｓ２６）、ビデオ電話を終了する。なお、ステップＳ２２〜Ｓ２６の各処理は、順番を入れ替えても良いし、同時に行っても良い。
【０１５０】
なお、本実施形態では、ＴＶチューナ７からＴＶ映像信号およびＴＶ音声信号を出力しているが、ＶＴＲ、ＤＶＤレコーダ、ＨＤＤレコーダなどのビデオレコーダをＴＶチューナ７として利用する場合には、ＴＶ映像信号およびＴＶ音声信号の代わりに、記録媒体から再生した映像信号および音声信号を出力しても良い。
【０１５１】
〔実施の形態２〕
次に、本発明の別の実施形態について図７〜図１１に基づいて説明する。本実施形態のビデオ電話システムは、図２に示されるビデオ電話システム１に比べて、ＴＶ映像をＴＶ受像機から取得している点と、ＴＶ映像と相手映像との合成を、携帯電話機を収容するクレードルにて行う点と、クレードルがＴＶ受像機を赤外線で遠隔制御する点とが異なり、その他の構成および処理動作は同様である。なお、上記実施形態で説明した構成と同様の機能を有する構成には同一の符号を付して、その説明を省略する。
【０１５２】
図７は、本実施形態のビデオ電話システムの概略構成を示している。図示のように、ビデオ電話システム７０は、相手側の携帯電話機２、基地局３、公衆回線網４、基地局５、自側の携帯電話機７１、クレードル７２、およびＴＶ受像機７３を備える構成である。
【０１５３】
本実施形態では、自側の携帯電話機７１は、クレードル７２に収容されている。なお、図には示していないが、携帯電話機７１およびクレードル７２のそれぞれには、携帯電話機７１およびクレードル７２間でデータ通信を行うための通信端子と、クレードル７２から携帯電話機７１に充電を行うための充電端子とが適所に設けられている。
【０１５４】
クレードル７２は、ＴＶ受像機７３と接続している。クレードル７２は、ＴＶ受像機７３からＴＶ映像およびＴＶ音声を受け取るとともに、携帯電話機７１から相手映像および相手音声を受け取る。また、クレードル７２は、受け取ったＴＶ映像および相手映像を合成するとともに、受け取ったＴＶ音声および相手音声を合成して、合成した映像および音声をＴＶ受像機７３に出力する。これにより、映像を合成する機能を有さない一般のＴＶ受像機７３を利用して、ＴＶ映像と相手映像とを合成した映像を表示することができる。
【０１５５】
また、クレードル７２は、ＴＶ受像機７３に対し制御信号を赤外線で送信してＴＶ受像機７３を遠隔制御する赤外線送信機能を有している。これにより、携帯電話機７１からの指示に基づいて、電源のオン・オフ、映像入力および音声入力の切替え、ＴＶ放送のチャンネルの選択、音量の調整など、ＴＶ受像機７３の遠隔操作を行うことができる。したがって、利用者がＴＶ受像機７３を直接操作したり、別の遠隔操作機を利用したりすること無く、ＴＶ受像機７３に合成した映像を表示することができ、利用者の手間を省略することができる。
【０１５６】
以下、自側の携帯電話機７１、クレードル７２、およびＴＶ受像機（出力先の表示装置）７３の詳細について説明する。図８は、自側の携帯電話機７１、クレードル７２、およびＴＶ受像機７３の概略構成を示している。
【０１５７】
まず、携帯電話機７１の構成について説明する。携帯電話機７１は、映像入力部１０、音声入力部１１、映像表示部１２、音声出力部１３、ＡＶコーデック部１４、無線処理部１５、アンテナ１６、操作部１７、制御部７４、およびデータ出力部７５を備える構成である。
【０１５８】
制御部７４は、図１に示される制御部１８と同様に、携帯電話機７１内の各種構成を統括的に制御する。制御部７４の機能は、例えばＲＡＭやフラッシュメモリなどの記憶装置に記憶されたプログラムをＣＰＵが実行することによって実現される。なお、制御部７４の詳細な構成については後述する。
【０１５９】
データ出力部７５は、制御部７４からのデータをクレードル７２に出力するためのものである。具体的には、データ出力部７５は、上述のように、通信端子を備える構成である。
【０１６０】
次に、携帯電話機７１における制御部７４の詳細について説明する。図９は、制御部７４の概略構成を示している。図示のように、制御部７４は、通話制御部６０、通信サービス処理部６１、ＡＶコーデック制御部６２、表示制御部６３、およびデータ出力制御部７６を備える構成である。
【０１６１】
通信サービス処理部６１は、通話サービス、ビデオ電話サービス、電子メールサービスなどの各種通信サービスに対応する処理を行うとともに、通信サービスに基づいて、ＡＶコーデック制御部６２、表示制御部６３、およびデータ出力制御部７６を制御する。
【０１６２】
データ出力制御部７６は、クレードル７２に出力すべきデータを作成してデータ出力部７５に送信する。本実施形態では、クレードル７２に出力すべきデータとして、相手側の携帯電話機２からのＡＶストリームデータ、クレードル７２の赤外線送信手段から送信すべき制御信号を指示するＩＲ指示データ、映像および音声の合成を指示する合成指示データなどが挙げられる。
【０１６３】
具体的には、通信サービス処理部６１がビデオ電話サービスを実行する場合には、データ出力制御部７６は、通話制御部６０から通信サービス処理部６１を介してＡＶストリームデータを受信して、データ出力部７５に送信する。また、データ出力制御部７６は、ＴＶ受像機７３における映像および音声の入力を内部入力から外部入力に切り替えるＩＲ指示データと、映像および音声の合成を開始する合成指示データとを作成してデータ出力部７５に送信する。
【０１６４】
一方、通信サービス処理部６１がビデオ電話サービスを終了する場合には、データ出力制御部７６は、ＡＶストリームデータのデータ出力部７５への送信を中止する。また、データ出力制御部７６は、ＴＶ受像機７３における映像および音声の入力を外部入力から内部入力に切り替えるＩＲ指示データと、映像および音声の合成を中止する合成指示データとを作成してデータ出力部７５に送信する。
【０１６５】
次に、クレードル７２の詳細な構成について図８に基づいて説明する。図示のように、クレードル７２は、データ入力部（通信手段）８１、入力データ処理部（映像合成制御手段、赤外線送信制御手段）８２、ＡＶデコード部（ＡＶデコード手段）８３、制御信号作成部８４、およびＩＲ送信部（赤外線送信手段）８５を備える構成である。
【０１６６】
データ入力部８１は、携帯電話機７１のデータ出力部７５から出力されたデータの入力を行って、入力データ処理部８２に送信する。データ入力部８１は、具体的には、上述のように、通信端子を備える構成である。
【０１６７】
なお、本実施形態では、携帯電話機７１のデータ出力部７５とクレードル７２のデータ入力部８１とは、直接接続しているが、接続ケーブルを介して接続しても良いし、ＩｒＤＡ、Ｂｌｕｅｔｏｏｔｈ（登録商標）、ＩＥＥＥ８０２．１１などの無線で接続しても良い。無線で行う場合には、データ出力部７５は、データを無線に適した形式に変換する処理を行うとともに、データ入力部８１は、元の形式に変換する処理を行う必要がある。また、データ出力部７５からデータ入力部８１へのデータの出力は、シリアル形式行っても良いし、パラレル形式で行っても良い。
【０１６８】
データ処理部８２は、データ入力部８１から受信したデータの種類を判別し、判別結果に基づいてデータを適当なブロックに送信する。具体的には、データ処理部８２は、データがＡＶストリームデータであれば、ＡＶストリームデータをＡＶデコード部８３に送信し、データがＩＲ指示データであれば、ＩＲ指示データを制御信号作成部８４に送信し、データが合成指示データであれば、合成指示データを映像合成部２２および音声合成部２８に送信する。
【０１６９】
ＡＶデコード部８３は、入力データ処理部８２から受信したＡＶストリームデータを分離し復号化して、復号化した映像データおよび音声データをそれぞれ映像合成部２２および音声合成部２８に送信する。
【０１７０】
制御信号作成部８４は、入力データ処理部８２から受信したＩＲ指示データに基づいて、ＴＶ受像機７３を遠隔制御する制御信号を作成してＩＲ送信部８５に送信する。ＩＲ送信部８５は、制御信号作成部８４から受信した制御信号を赤外線での送信に適した形式に変換して赤外線で送信する。
【０１７１】
また、クレードル７２は、ＴＶ映像信号入力部２０、映像Ｉ／Ｆ部２１、映像合成部２２、映像Ｉ／Ｆ部２３、映像信号出力部２４、ＴＶ音声信号入力部２５、音声Ｉ／Ｆ部２６、音量調整部２７、音声合成部２８、音声Ｉ／Ｆ部２９、および音声信号出力部３０を備える構成である。これらの構成は、図１に示される携帯電話機６において対応する構成と同様の機能を有するので、その説明を省略する。
【０１７２】
なお、本実施形態では、ビデオ電話の終了後に、ＴＶ受像機７３は、映像および音声の入力が外部入力から内部入力に切り替るため、ＴＶ受像機７３がＴＶ映像を表示し、ＴＶ音声を表示するために上記の構成は利用されない。したがって、音量調整部２７が調整するＴＶ音声データの音量レベルの低下量を一定としても良い。
【０１７３】
次に、ＴＶ受像機７３の構成について説明する。本実施形態で利用されるＴＶ受像機７３は、映像信号がＮＴＳＣ方式の映像信号であり、ビデオ入力端子およびオーディオ入力端子を備えており、かつ赤外線リモコン機能を有している一般的なＴＶ受像機である。
【０１７４】
図８に示されるように、ＴＶ受像機７３は、ＴＶ映像信号出力部４１、ＴＶ音声信号出力部４２、映像信号入力部４３、音声信号入力部４４、映像表示部４５、音声出力部４６、ＴＶ用アンテナ９０、ＴＶチューナ部９１、入力切替スイッチ９２、ＩＲ受信部９３、制御部９４、および電源部９５を備える構成である。なお、ＴＶ映像信号出力部４１およびＴＶ音声信号出力部４２は、図１に示されるＴＶチューナ７において対応する構成と同様の機能を有するので、その説明を省略する。また、映像信号入力部４３、音声信号入力部４４、映像表示部４５、および音声出力部４６は、図１に示されるＴＶ受像機８において対応する構成と同様の機能を有するので、その説明を省略する。
【０１７５】
ＴＶチューナ部９１は、外部からアンテナ９０を介して所望のチャンネルの電波を選択して受信し、これを例えばＮＴＳＣ形式などの所定形式の映像信号および音声信号に変換する。ＴＶチューナ部９１は、変換した映像信号をＴＶ映像信号出力部４１および切替スイッチ９２に送信するとともに、変換した音声信号をＴＶ音声信号出力部４２および切替スイッチ９２に送信する。
【０１７６】
切替スイッチ３４は、制御部９４からの指示に基づき、映像表示部４５および音声出力部４６に入力する映像信号および音声信号を、ＴＶチューナ部９１からの映像信号および音声信号と、映像信号入力部４３および音声信号入力部４４からの映像信号および音声信号とで切り替える。
【０１７７】
ＩＲ受信部９３は、クレードル７２のＩＲ送信部８５から赤外線で送信される制御信号を受信し、受信した制御信号を元の形式に変換して、制御部９４に送信する。制御部９４は、ＴＶ受像機７３内の各種構成を統括的に制御する。本実施形態では、制御部９４は、ＩＲ受信部９３から受信した制御信号に基づいて、切替スイッチ９２における切替制御や、電源部９５における給電制御を行う。電源部９５は、制御部９４からの指示に基づいて、ＴＶ受像機７３内の各種構成に電力を供給したり、停止したりする。
【０１７８】
したがって、本実施形態のビデオ電話システム７０では、携帯電話機６は、データ出力部７５を有するのみで良く、ＴＶ映像信号入力部２０、映像信号出力部２４、ＴＶ音声入力部２５、音声信号出力部３０を有する必要がないので、携帯電話機６の装置規模が大きくなることを防止できる。
【０１７９】
上記構成のビデオ電話システム７０において、相手先からビデオ電話が要求された場合に制御部７４が行う処理動作について、図１０および図１１に基づいて説明する。なお、上記実施形態で説明した処理動作と同様の処理動作に関しては同一の符号を付してその説明を省略する。
【０１８０】
図１０は、相手先からビデオ電話が要求された場合にビデオ電話を自動的に開始する処理動作を示している。まず、ステップＳ１０・Ｓ１１を行い、発呼信号がビデオ電話の要求に関するものである場合には（Ｓ１１でＹＥＳ）、ステップＳ１２を行う。これにより、携帯電話機７１にて入力された映像データおよび音声データが相手先に送信されるとともに、相手先からの映像データおよび音声データを取得することができる。
【０１８１】
次に、データ出力制御部７６は、ＴＶ受像機７３に対しＴＶ入力から外部入力に切り替える制御信号を作成するように指示するＩＲ指示データを作成してデータ出力部７５に送信する（Ｓ３０）。
【０１８２】
このとき、ＩＲ指示データは、データ出力部７５、データ入力部８１、入力データ処理部８２を介して制御信号作成部８４に送信される。制御信号作成部８４は、上記ＩＲ指示データに基づく制御信号を作成してＩＲ送信部８５に送信する。上記制御信号は、ＩＲ送信部８５およびＩＲ受信部９３を介してＴＶ受像機７３の制御部９４に送信される。制御部９４が上記制御信号に基づいて切替スイッチ９２を制御することにより、切替スイッチ９２は、ＴＶチューナ部９１の側から映像信号入力部４３および音声信号入力部４４の側に切り替る。
【０１８３】
次に、データ出力制御部７６は、ビデオ電話が要求された旨のＡＶストリームデータを、作成してデータ出力部７５に送信した後（Ｓ３１）、通話制御部６０から通信サービス処理部６１を介して受信した相手先のＡＶストリームデータを、データ出力部７５に送信し続ける（Ｓ３２）。
【０１８４】
このとき、ＡＶストリームデータは、データ出力部７５、データ入力部８１、入力データ処理部８２を介してＡＶデコード部８３に送信される。ＡＶデコード部８３は、受信したＡＶストリームデータを分離し復号化して、復号化した映像データを映像合成部２２に送信するとともに、復号化した音声データを音声合成部２８に送信する。これにより、映像合成部２２は相手先の映像とＴＶ映像とを合成し、音声合成部２８は相手先の音声とＴＶ音声とを合成する。
【０１８５】
そして、映像合成部２２が合成した映像データが、映像Ｉ／Ｆ部２３、映像信号出力部２４、映像ケーブル３２、映像信号入力部４３、および切替スイッチ９２を介して映像表示部４５に送信される。これにより、ＴＶ受像機７３は、ビデオ電話が要求された旨の映像とＴＶ映像とを同時に表示画面に表示した後、相手先からの映像とＴＶ映像とを同時に表示画面に表示することになる。
【０１８６】
同様に、音声合成部２８が合成した音声データが、音声Ｉ／Ｆ部２９、音声信号出力部３０、音声ケーブル３４、音声信号入力部４４、および切替スイッチ９２を介して音声表示部４６に送信される。これにより、ＴＶ受像機７３は、ビデオ電話が要求された旨の音声とＴＶ音声とを同時に音声出力した後、相手先からの音声とＴＶ音声とを同時に音声出力することになる。
【０１８７】
そして、ステップＳ１６を行って、携帯電話機７１の表示画面に自機の撮影映像を表示した後、ビデオ電話の開始処理を終了して、ビデオ電話を実行する。
【０１８８】
なお、ＴＶ受像機７３の電源がオフになっている場合も考えられるので、ステップＳ３０を行う前に、データ出力制御部７６は、ＴＶ受像機７３に対し電源をオンにする制御信号を作成するように指示するＩＲ指示データを作成してデータ出力部７５に送信することが望ましい。この制御信号をＴＶ受像機７３の制御部９４が受け取ると、制御部９４の制御により電源部９５が各部に電力を供給して、ＴＶ受像機７３が稼働する。このとき、切替スイッチ９２が外部入力の側に既に切り替っている場合には、ステップＳ３０の処理動作を行う必要がない。
【０１８９】
図１１は、ビデオ電話を終了する処理動作を示している。まず、ステップＳ２０・Ｓ２１を行い、通話終了の操作または終話信号の着信があると、データ出力制御部７６は、通話制御部６０から通信サービス処理部６１を介して受信した相手先のＡＶストリームデータをデータ出力部７５に送信することを中止する（Ｓ４０）。
【０１９０】
次に、データ出力制御部７６は、ビデオ電話を終了した旨のＡＶストリームデータを作成して、データ出力部７５に送信する（Ｓ４１）。これにより、ＴＶ受像機７３は、上記と同様に、ビデオ電話を終了した旨の映像とＴＶ映像とを同時に表示画面に表示するとともに、ビデオ電話を終了した旨の音声とＴＶ音声とを同時に音声出力することになる。
【０１９１】
次に、データ出力制御部７６は、ＴＶ受像機３に対し外部入力からＴＶ入力に切り替える制御信号を作成するように指示するＩＲ指示データを作成してデータ出力部７５に送信する（Ｓ４２）。
【０１９２】
このとき、ＩＲ指示データは、データ出力部７５、データ入力部８１、入力データ処理部８２を介して制御信号作成部８４に送信される。制御信号作成部８４は、上記ＩＲ指示データに基づく制御信号を作成してＩＲ送信部８５に送信する。上記制御信号は、ＩＲ送信部８５およびＩＲ受信部９３を介してＴＶ受像機７３の制御部９４に送信される。
【０１９３】
制御部９４が上記制御信号に基づいて切替スイッチ９２を制御することにより、切替スイッチ９２は、映像信号入力部４３および音声信号入力部４４の側からＴＶチューナ部９１の側に切り替る。これにより、ＴＶチューナ部９１からのＴＶ映像がＴＶ受像機７３の表示画面に表示され、ＴＶチューナ部９１からのＴＶ音声がＴＶ受像機７３のスピーカから出力されることになる。
【０１９４】
そして、ステップＳ２５・Ｓ２６を行った後、ビデオ電話を終了する。なお、ビデオ電話の終了後にＴＶ映像を利用者が見ない場合には、ステップＳ４２に代えて、データ出力制御部７６は、ＴＶ受像機７３に対し電源をオフにする制御信号を作成するように指示するＩＲ指示データを作成してデータ出力部７５に送信しても良い。この制御信号をＴＶ受像機７３の制御部９４が受け取ると、制御部９４の制御により電源部９５が各部への電力供給を中断して、ＴＶ受像機７３が動作を停止する。
【０１９５】
このとき、ビデオ電話の終了時に、ＴＶ映像を利用者が見るか否かを問い合せる旨のダイアログをＴＶ受像機７３または携帯電話機７１の表示画面に表示させ、ＴＶ映像を見る場合には映像入力をＴＶ入力に切り替える制御信号を、ＴＶ映像を見ない場合には、電源をオフにする制御信号をそれぞれクレードル７２のＩＲ送信部８５からＴＶ受像機７３に送信しても良い。このように、利用者に何れかを選択できるようにすることにより、利用場面ごとに柔軟な対応が可能となり、ビデオ電話後に電源をオフしたい場合やオンしたままがいい場合のいずれにも対応することができる。
【０１９６】
なお、本実施形態では、クレードル７２が赤外線を利用してＴＶ受像機７３を遠隔操作しているが、携帯電話機７２が赤外線送信機能を有する場合には、携帯電話機７２が赤外線を利用してＴＶ受像機７３を遠隔操作することもできる。この場合、携帯電話機７２が制御信号作成部８４およびＩＲ送信部８５を有することになる。
【０１９７】
なお、本発明は上記の実施形態に限定されるものではなく、請求項に示した範囲で種々の変更が可能である。
【０１９８】
例えば、上記実施形態では、ＴＶ受像機８・７３にＴＶ映像と相手映像とを表示しているが、相手映像に代えてまたは相手映像と共に自機映像を表示することもできる。また、携帯電話機６・７１の映像表示部１２に自機映像を表示しているが、相手映像やＴＶ映像を表示することもできる。さらに、これらの表示画面の表示内容をそれぞれ切替え可能な切替手段を備えることもできる。具体的な一例を挙げると、ビデオ電話中に、携帯電話機６・７１の所定キーを押下する毎に、各表示画面の表示内容がそれぞれ切り替わるようにすれば良い。
【０１９９】
さらに、上記実施形態では、主に、相手先の携帯電話機からビデオ電話要求が着信した場合を説明したが、自機からビデオ電話要求を発信した場合に適宜応用できることは勿論である。
【０２００】
また、携帯電話機６・７１の各ブロック、制御部１８・７４は、ハードウェアロジックによって構成してもよいし、次のようにＣＰＵを用いてソフトウェアによって実現してもよい。
【０２０１】
すなわち、携帯電話機６・７１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機２の制御プログラムのプログラムコード（実行形式プログラム、中間コードプログラム、ソースプログラム）をコンピュータで読み取り可能に記録した記録媒体を、上記携帯電話機２に供給し、そのコンピュータ（またはＣＰＵやＭＰＵ）が記録媒体に記録されているプログラムコードを読み出し実行することによっても、達成可能である。
【０２０２】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０３】
また、携帯電話機６・７１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【０２０４】
以上のように、本発明に係る携帯電話機およびクレードルは、ビデオ電話における相手機からの映像および音声と、外部から入力された映像および音声とを合成し、合成した映像および音声を外部に出力することを特徴としている。しかしながら、本発明は、ビデオ電話に限らず、例えば、画像を添付した電子メールを携帯電話機が受信したときに、添付された画像を外部の映像とともに外部の表示装置に表示する携帯電話機およびクレードルにも適用することができる。また、ビデオ電話機能を備えた携帯型端末装置全般に本発明を適応できることはいうまでもない。
【図面の簡単な説明】
【０２０５】
【図１】本発明の一実施形態であるビデオ電話システムの要部の概略構成を示すブロック図である。
【図２】上記ビデオ電話システムの概略構成を示すブロック図である。
【図３】上記ビデオ電話システムの携帯電話機におけるＡＶコーデック部の概略構成を示すブロック図である。
【図４】上記携帯電話機における制御部の概略構成を示すブロック図である。
【図５】上記制御部にて実行されるビデオ電話の開始処理の流れを示すフローチャートである。
【図６】上記制御部にて実行されるビデオ電話の終了処理の流れを示すフローチャートである。
【図７】本発明の他の実施形態であるビデオ電話システムの概略構成を示すブロック図である。
【図８】上記ビデオ電話システムの要部の概略構成を示すブロック図である。
【図９】上記ビデオ電話システムの携帯電話機における制御部の概略構成を示すブロック図である。
【図１０】上記制御部にて実行されるビデオ電話の開始処理の流れを示すフローチャートである。
【図１１】上記制御部にて実行されるビデオ電話の終了処理の流れを示すフローチャートである。
【符号の説明】
【０２０６】
１、７０    ビデオ電話システム
２、６、７１    携帯電話機
８、７３    ＴＶ受像機（出力先の表示装置）
１０    映像入力部（映像入力手段）
１２    映像表示部（映像表示手段）
１４    ＡＶコーデック部（ＡＶコーデック手段）
２０    ＴＶ映像信号入力部（映像外部入力手段）
２１    映像Ｉ／Ｆ部（映像外部入力手段）
２２    映像合成部（映像合成手段）
２３    映像Ｉ／Ｆ部（映像外部出力手段）
２４    映像信号出力部（映像外部出力手段）
２５    ＴＶ音声信号入力部（音声外部入力手段）
２６    音声Ｉ／Ｆ部（音声外部入力手段）
２７    音量調整部（音声合成手段）
２８    音声合成部（音声合成手段）
２９    音声Ｉ／Ｆ部（音声外部出力手段）
３０    音声信号出力部（音声外部出力手段）
６３    表示制御部（表示制御手段、映像選択手段）
６５    合成制御部（映像合成制御手段、映像選択手段）
７２    クレードル
８１    データ入力部（通信手段）
８２    入力データ処理部（映像合成制御手段、赤外線送信制御手段）
８３    ＡＶデコード部（ＡＶデコード手段）
８５    ＩＲ送信部（赤外線送信手段）
【図１】
2005151446.tif 000003
【図２】
2005151446.tif 000004
【図３】
2005151446.tif 000005
【図４】
2005151446.tif 000006
【図５】
2005151446.tif 000007
【図６】
2005151446.tif 000008
【図７】
2005151446.tif 000009
【図８】
2005151446.tif 000010
【図９】
2005151446.tif 000011
【図１０】
2005151446.tif 000012
【図１１】
2005151446.tif 000013